(57)【要約】【課題】入出金口部の紙幣視認性を向上させ、かつ、入出金口部への注意を促すことで、媒体の取り忘れを防止する紙幣入出金機を提供することにある。【解決手段】  入出金取引において紙幣を保持する入出金口部１０３を有する紙幣入出金機において、入出金口部１０３の内部に光源１と、光源を覆う光源カバー２とを備え、光源カバー２は、光源１からの光により発光する材料により形成されている。【選択図】  図２
2010020428.tif 000002
【特許請求の範囲】
【請求項１】
入出金取引において紙幣を保持する入出金口部を有する紙幣入出金機において、
前記入出金口部の内部に光源と、
前記光源を覆う光源カバーとを備え、
前記光源カバーは、前記光源からの光により発光する材料により形成されていることを特徴とする紙幣入出金機。
【請求項２】
請求項１に記載の紙幣入出金機において、
前記光源カバーは、入出金口部の内部側の部分と外部側の部分とでその色が異なることを特徴とする紙幣入出金機。
【請求項３】
請求項１に記載の紙幣入出金機において、
紙幣の有無を検知する検知手段と、
前記光源の点灯及び消灯を制御する制御手段とを備え、
前記制御手段は、前記検知手段が紙幣の有を検知した場合には光源を点灯し、無を検知した場合には光源を消灯するよう制御することを特徴とする紙幣入出金機。
【請求項４】
請求項１〜３に記載の紙幣入出金機において、
前記光源カバーの一部の面が前記光源の軸方向と垂直でない角度に形成された紙幣入出金機。
【請求項５】
請求項４に記載の紙幣入出金機において、
前記光源カバーの一部の面が、曲面にて形成された紙幣入出金機。
【請求項６】
請求項４〜５に記載の紙幣入出金機において、
前記入出金口部は、紙幣入出金機の奥側に凹型の部分が形成されており、
前記光源及び前記光源カバーを前記凹型の部分以外の箇所に設けたことを特徴とする紙幣入出金機。
【発明の詳細な説明】
【技術分野】
【０００１】
本発明は、紙幣の出金又は入出金を行う紙幣入出金機に関するものである。
【背景技術】
【０００２】
従来では、紙幣入出金機の入出金口部は、操作者に紙幣の抜き取り・投入を促すランプ（たとえば発光ダイオード）を入出金口部付近の装置側に設けている。また、入出金口部の内部に照明用の光源と、操作者への注意を促す光源とを別々に実装している。従来の装置としては、例えば、特開２００４−１３９６１４（特許文献１）に示される紙幣入出金機が提案されている。
【０００３】
【特許文献１】特開２００４−１３９６１４
【発明の開示】
【発明が解決しようとする課題】
【０００４】
特許文献１に記載された入出金口部においては、操作者に紙幣の抜き取り・投入を促すランプは、入出金口との距離があり、注意を促すための効果としては課題があった。また、入出金口部の内部に照明用のランプを配置した場合、紙幣を照らす効果と操作者への注意を促す効果の両立は難しく、各々、別の光源を実装する必要があった。注意喚起と視認性の向上のために別の光源を備えると、光源の設置スペース確保や、消耗品の使用数が増えることによるコスト増の課題があった。
【０００５】
本発明の目的は、１つの光源あるいは光源群によって、紙幣の取り忘れ防止を可能とする紙幣入出金装置及びその入出金口部に関するものである。
【課題を解決するための手段】
【０００６】
上記目的を達成するために、本発明では、入出金取引において紙幣を保持する入出金口部を有する紙幣入出金機において、入出金口部の内部に光源と、光源を覆う光源カバーとを備え、光源カバーは、光源からの光により発光する材料で形成されている。
【発明の効果】
【０００７】
１つの光源あるいは光源群によって、紙幣の取り忘れ防止を効果的に行うことが可能となる。
【発明を実施するための最良の形態】
【０００８】
以下に、図１から図５を参照しながら本発明における実施形態を説明する。
【０００９】
本実施形態は、たとえば銀行などの金融機関にて採用される自動預払機（以下、ATM（Automated Tellers Machine））の紙幣を入出金処理する紙幣入出金機に関する。
【００１０】
図１は、紙幣入出金機１０２を備える自動預払機１０１の概観を示す。
【００１１】
入出金口部１０３は、入金取引時には利用者からの紙幣の投入を受付け、出金取引時には利用者に紙幣を放出する。通帳取扱装置１０４は、通帳を取扱う。明細表発行装置１０５は、取引明細票を発行する。カード取扱装置１０６は、磁気ストライプカードやＩＣカードを取扱う。操作部１０７は、利用者、係員、保守員がタッチパネル操作や、操作の為の画面を表示するとともに、利用者等からの入力を受付ける。本体制御部１０８は、上記各装置を制御する。
【００１２】
図２（ａ）は、シャッタ３が開いた状態での紙幣入出金機の入出金口部１０３の斜視図を示す。図２（ｂ）は、図２（ａ）に示した入出金口部のシャッタ３が閉じた状態での断面図を示す。以下、図２（ａ）、（ｂ）の各部について説明する。
【００１３】
光源１は、光源カバー２（カバーともいう）により、入出金口部１０３の内部と外部とを照射する。シャッタ３は、紙幣入出金機の入出金動作に合せ開閉する。入金取引時において、紙幣入出金機は、入出金口部１０３のシャッタ３を開き、利用者に紙幣を投入させる。紙幣入出金機は、投入された紙幣を検知センサ１０により検知し、所定の条件で、シャッタ３を閉じた後、投入された紙幣を、フィードローラ５、ゲートローラ４、ピックローラ６によって、1枚ずつ分離しながら、紙幣入出金機内に送り出す。
【００１４】
一方、出金取引時には、紙幣入出金機は、その内部から紙幣を1枚ずつ入出金口部１０３に整列収納する。その後、紙幣入出金機は、シャッタ３を開き、利用者に紙幣の抜き取りをさせ、所定の条件でシャッタ３を閉じる。
【００１５】
また、紙幣の抜き取り・投入が容易なように、奥行きガイド８と手前ガイド７は凹形状に凹んだ形状となっており、その横に、光源１（例えば、照明用の発光ダイオード）と、光源カバー２を設ける。図２（ｂ）に示すように、奥側ガイド８の上面位置まで、光源カバー２を設けることにより、光源１が発光した場合に操作者への効果的な注意が可能となる。本実施形態では、シャッタ３の内側に光源カバー２を配置することにより、悪意者が光源カバー２を破損、破壊することを防止する。
【００１６】
また、制御部１２（図７）は、検知センサ１０により、紙幣の存在を検知している場合に、光源１を点灯し、紙幣の存在を検知していない場合には、光源１を消灯するように制御する。
【００１７】
続いて、本実施形態における光源カバー２の特徴について説明する。光源カバー２は、光源１からの光を透過し、かつ、光を拡散し発光する材料（たとえば、蛍光顔料・染料を含んだ材料）にて形成されている。
【００１８】
図３には、光源カバー２の実施形態１を示す。光源カバー２の実施形態１では、光源カバー２が、半透明の蛍光材料で形成されている。図３では、カバー２が、光を拡散させる材料（例えば、蛍光色材料）で形成されている場合に、光源１から照射された光が、光源カバー２を通過する方向も示している。入出金口部１０３の内部に置かれた紙幣の視認性を向上させるには、紙幣及び入出金口部１０３の底面を明るく照らすことが効果的であるため、光源１の方向は、図３のように紙幣および入出金口部１０３の底面方向を向いている。また、光源カバー２は、半透明の材料で形成することにより、視認性を高めている。さらに、光源カバー２は、操作者に紙幣残留の注意を促すため、光を拡散させる材料（例えば、蛍光色材料）で形成し、光源１からの光が拡散しカバー２全体が発光する。
【００１９】
図４は、光源カバー２の実施形態２を示す。光源カバー２の実施形態２では、光源カバー２が、入出金口部の外部側の部分であるカバー部分２aと入出金口部の内部側の部分であるカバー部分２bとの蛍光色が異なる色で形成される。カバー部分２aは、操作者への注意を促すのに最も適した色（たとえば、蛍光緑色）で形成し、カバー部分２bは紙幣を照らすのに最も適した色（たとえば、蛍光白色または蛍光オレンジ色）で形成する。これにより、一つの光源１で視認性向上と注意喚起の異なる目的を達成することが可能となる。
【００２０】
上述のように、光源１からの光は、光源カバー２を通過することにより、入出金口部１０３の内部と、外部を照射する２つの用途に利用される。一般に、入出金口部１０３の内部への照射は、紙幣の視認性の向上を目的とし、外部への照射は、利用者への注意喚起を目的とする。このため、外部への照射は、点滅等させた方が注意喚起として有効であるが、内部への照射において点滅等されると視認性が低下する。従って、制御部１２は、出金時において、シャッタ３を開いた後所定の時間は、光源１は、点滅ではなく点灯するように制御することにより視認性を向上する。シャッタ３を開いた後、検知センサ１０により、所定の時間紙幣を検知していた場合に、制御部１２（図７）は、注意喚起が必要であると判断し、光源１を点滅するよう制御することにより、単一の光源１で視認性向上と注意喚起の二つの役割を果たすことが可能となる。
【００２１】
図５は、入出金口部１０３の上面図を示す。入出金口部１０３の奥側ガイド８の中央は紙幣の抜き取り・投入の操作性のために、広く開口した形状にするために、光源１はその左側または右側（もしくは両側）に配置し、光源カバー２の断面を図５のように光源方向と垂直でない方向に形成する。これにより、光源１が発した光は、光源カバー２により屈折され、光源１よりも中央側を照射することが可能となる。すなわち、入出金口部１０３の構造による光源１の実装位置の制約があっても目的に応じた照射範囲を選択することが可能となる。
【００２２】
また、上述したように、視認性と注意喚起の両立のために、制御部１２（図７）は、所定時間は、点滅する光源１の数を１つとし、残り２つは点灯させ、時間の経過に合せて点滅数を増やすように制御してもよい。例えば、図５において、入出金口部１０３の左右それぞれに配置された光源１群のうち、それぞれの真ん中（３つのうちの真ん中）にある光源１を最初に点滅させ、残りは点灯させておき、その後、それぞれの光源１群の、残りの光源１を点滅させてもよい。
図６（ａ）（ｂ）（ｃ）（ｄ）は、光源カバー２の実施形態３〜６を示す。
図６（ａ）は、光源カバー２の実施形態３である。光源カバー２ｃのように、光源１とは反対側の光源カバー２の面が、光源１の軸方向と垂直でない角度になるように、光源カバー２が形成されたものである。光源からカバーへの光の入射角を垂直にすることで、入射時の反射を極小化することができる。
図６（ｂ）は、光源カバー２の実施形態４である。光源カバー２ｄのように、複数並んだ光源１に対する光源カバー２の面の角度がそれぞれ異なる角度に形成されることで、光源カバー２の面の角度が同一な角度となるように形成された場合よりも、光源１に基づく光が広い範囲を照らすように、光源カバー２が形成されたものである。
【００２３】
光源カバー２の実施形態４の入出金口部１０３の構造においては、上述したように、奥側ガイドの凹部に光源１を設置できないため、紙幣全体を照射するために、各光源１に対応する位置の光源カバー２ｄの構造を異なるものとしている。
【００２４】
図６（ｃ）は、光源カバー２の実施形態５である。光源カバー２ｅのように、複数並んだ光源１に対する光源カバー２の面の角度がそれぞれ異なる角度に形成されることで、光源カバー２の面の角度が同一な角度となるように形成された場合よりも、光源１に基づく光が、狭い範囲を照らすように、光源カバー２が形成されたものである。
【００２５】
例えば、紙幣のホログラムの部分等、光を反射しやすい部分を照射することにより、紙幣の視認性を高めることに利用することができる。
【００２６】
図６（ｄ）は、光源カバー２の実施形態６である。光源カバー２ｆのように、光源カバー２の面が曲面に形成されることで、照射範囲を均一の光量で照らすように、光源カバー２が形成されたものである。
【００２７】
また、図６の（ｂ）と図６の（ｄ）を組み合わせた構造とすることで、さらに広い範囲を均一に照射することが可能となる。
【００２８】
図７は、入出金口部１０３の制御ブロック図を示す。光源１、残留センサ１０、シャッタ機構１５、繰出し機構１６、集積機構１７のセンサ・スイッチ・アクチュエータは、入出力ポート（I/Oポート）を介して、制御部（ＣＰＵ）１２と接続され、制御部１２により、入出金動作に応じて制御される。また、制御部（ＣＰＵ）１２には、メモリ１３が接続されている。
【００２９】
以上のように、本実施形態により、光源カバー２に各種材料を用いることにより、一つの光源あるいは光源群によって、視認性の向上と注意喚起を可能とするとともに、部品削減・コスト低減が図れる。
【００３０】
特に、光を拡散し発光する材料を用いることで、利用者の視認性・注意喚起を容易に可能となる。また、光を拡散し発光する材料として、入出金口部１０３の内部側の部分と外部側の部分とでその色が異なるものを用いることで、一つの光源１により、紙幣を照らす機能と操作者に注意を促す機能とを、より効果的なものとすることが可能となる。
【００３１】
また、光源カバー２の一部の面を、光源１の軸方向と垂直でない角度に形成することで、光源からの光を屈折させる、あるいは、曲面にして光の指光角を変更させることで、光源１の配置にかかわらず、照らす位置・範囲が最適な位置になるようにすることができる。これにより視認性及び注意喚起の両方を満足することが実現可能となる。
【図面の簡単な説明】
【００３２】
【図１】自動預払機１０１の概観
【図２】紙幣入出金機１０２の入出金口部１０３を表す図
【図３】光源からの光の方向を表す図
【図４】光源カバー２の実施形態２
【図５】入出金口部の上面図（断面図）
【図６】光源カバー２の実施形態３〜６
【図７】入出金口部のブロック図
【符号の説明】
【００３３】
１・・・光源（たとえば、照明用発光ダイオード、ランプなど）、２・・・光源カバー、２a・・・蛍光色Iの部分、２ｂ・・・蛍光色IIの部分、２ｃ、２ｄ、２ｅ、２ｆ・・・光源カバー（他の実施形態）、３・・・シャッタ、４・・・ゲートローラ、５・・・フィードローラ、６・・・ピックローラ、７・・・手前ガイド、８・・・奥側ガイド、９・・・集積ローラ、１０・・・残留検知センサ、１１・・・紙幣、１２・・・制御部（ＣＰＵ）、１３・・・メモリ、１４・・・入出力ポート（Ｉ／Ｏポート）、１５・・・シャッタ機構、１６・・・繰出し機構、１７・・・集積機構、１０１・・・自動預払機、１０２・・・紙幣入出金機、１０３・・・入出金部、１０４・・・通帳取扱装置、１０５・・・明細票発行装置、１０６・・・カード取扱装置、１０７・・・操作部、１０８・・・本体制御部
【図１】
2010020428.tif 000003
【図２】
2010020428.tif 000004
【図３】
2010020428.tif 000005
【図４】
2010020428.tif 000006
【図５】
2010020428.tif 000007
【図６】
2010020428.tif 000008
【図７】
2010020428.tif 000009